(57)【要約】【課題】火炎による防火ガラスの軟化収縮時に、積極的にガラス端部を保持できる防火ガラスの保持構造を提供する。【解決手段】火災時の熱により防火ガラス２０自体が軟化し、押付ピース２１Ａの押付係合端２３ａがガラス表面に食い込む。軟化によりガラスがガラス中央方向へ収縮すると、押付ピース２１Ａは押付係合端２３ａがガラス表面に食い込んだ状態でガラス中央に向けて引っ張られ、取付片２２の先端を中心として押付係合端２３ａが、浅い角度で防火ガラス２０に対して食い込む方向に円弧を描き、防火ガラス２０の周辺部を積極的に気密材１８方向に押圧移動させて、ガラス周辺部の押圧保持状態を維持する。【選択図】　図６
2004068461.tif 000002
【特許請求の範囲】
【請求項１】
防火ガラスの周辺部を防火戸の枠体と押縁との間に挟み込んで押縁側から防火ガラスを押付手段により枠体に押し付けるようにして保持する防火ガラスの支持構造であって、防火ガラスの周辺部とこれと対向する枠体との間に受け保持材を介在させ、押付手段を、防火ガラスと平行な取付片と取付片より防火ガラス方向に突出して先端を押付係合端とした押付係合片とから成る押付ピースとし、その押付ピースの取付片先端が前記押付係合端から防火ガラスの中心側に所定量変位した位置となるように取付片を接着固定した押縁を防火戸に取り付け、取り付け状態において押付ピースの前記取付係合端で防火ガラスを前記受け保持材へ向けて押圧保持し、火災時の高温により前記押付ピースの取付片と押縁との接着固定が解除され、防火ガラスの軟化収縮により防火ガラスに係合している押付係合端が取付片の前記先端を中心として、防火ガラスに対して食い込み勝手となるように円弧移動するように構成したことを特徴とする防火ガラスの支持構造。
【請求項２】
防火ガラスの周辺部を防火戸の枠体と押縁との間に挟み込んで押縁側から防火ガラスを押付手段により枠体に押し付けるようにして保持する防火ガラスの支持構造であって、防火ガラスの四周とこれと対向する枠体との間に気密材を連続するように介在させ、押付手段を、防火ガラスと平行な取付片と取付片より防火ガラス方向に突出して先端を押付係合端とした押付係合片とから成る押付ピースとし、その押付ピースの取付片先端が前記押付係合端から防火ガラスの中心側に所定量変位した位置となるように取付片を接着固定した押縁を防火戸に取り付け、取り付け状態において押付ピースの前記取付係合端で防火ガラスを前記気密材へ向けて押圧保持し、前記押付ピースの取付片と押縁との接着固定は、火災時の高温により解除されるものであって、押付ピースの取付片と押付係合片とは、取付片と押縁との接着固定が火災時の高温により解除された後に、取付片の前記先端を中心として押付係合端が円弧移動するに際し、その押付係合端が、防火ガラスに対して食い込み勝手となるような長さ関係に設定されていることを特徴とする防火ガラスの支持構造。
【請求項３】
防火ガラスに対する食い込み方向の移動量は、気密材の厚さよりも大きく設定されていることを特徴とする請求項２記載の防火ガラスの支持構造。
【請求項４】
押縁にはその長手方向に係止片を備え、防火戸には押縁の前記係止片と係止して、押縁ごと押付ピースを防火ガラス方向に押し付けるガイド孔を形成したことを特徴とする請求項１〜３の何れかに記載の防火ガラスの支持構造。
【請求項５】
防火戸には、防火ガラスの周辺部と対応して開口枠を設け、その開口枠に、押縁から対応する開口枠方向に突設した鉤状の係止片を案内して、押縁を防火ガラス方向にガイドして係止するガイド孔を形成したことを特徴とする請求項４記載の防火ガラスの支持構造。
【発明の詳細な説明】
【０００１】
【発明の属する技術分野】
この発明は、防火戸に対する防火ガラスの支持構造に係るものである。
【０００２】
【従来の技術】
従来、防火ガラスの周辺部の第１側面と防火戸の枠体との間に受け不燃材を介在させ、防火ガラスの第２側面に押え不燃材と押え金属板とを配して、押縁側から押え螺子を捻じ込んで、防火ガラスを押え不燃材、押え金属板を介して受け不燃材に押し付けてガラス板を不燃材を介して摩擦力で保持し、さらに、ガラス板と枠体、押縁間にはガラスの四周に及ぶ難燃シールが施された防火ガラスの支持構造が知られている（特開平７−２５９４４７号）。
【０００３】
【発明が解決しようとする課題】
上記従来の防火ガラスの支持構造では、組み立て時に予め押しねじによる締め付け力を設定して火災時に防火ガラスが軟化しても垂れ下がることのないように防火ガラスの周辺部を摩擦保持するものである。しかし、防火ガラスは軟化するとガラスの中央方向に向けて収縮するので、押し螺子による摩擦保持だけではその収縮力に対抗できずに防火ガラスの周辺部が押縁と枠部との間から抜け落ちてしまうおそれもあって、好ましい支持構造とはいえない問題がある。
また、防火戸では炎の貫通を防ぐこともさることながら、火災の初期に発生する煙を有効に遮断する機能も必要である。この点について、上記の支持構造では、防火ガラスの上辺と左右縦辺を上記の支持構造で支持し、下辺に関してはそのような支持構造を採っておらず、防火ガラス板の四周と枠体との間は難燃シール材でシールされており、このガラスの四周を取り囲む難燃シール材により防火ガラスが枠体に気密に保持されている。従って、上記支持構造では、防火ガラスの軟化による垂れ下がり防止のための摩擦保持構造と全く別に、防火ガラスと防火戸の枠体間の気密構造を採用しており、ガラス四周を枠に取り付ける構造が複雑となっている。
本願は、火炎により防火ガラスが軟化してガラス中央部に向けて収縮する時には、積極的にガラス端部を保持できる保持構造を提供しようとするものである。また本願は、火災初期で発生する煙を有効に遮断し、その後、火炎により防火ガラスが軟化してガラス中央部に向けて収縮する時には、積極的にガラス端部を保持できる保持構造を提供しようとするものである。また本願は、押縁を防火戸に簡単に装着できる装着構造を持った上記保持構造を提供しようとするものである。
【０００４】
【課題を解決するための手段】
上記第１の課題解決のため、本願支持構造は、防火ガラスの周辺部を防火戸の枠体と押縁との間に挟み込んで押縁側から防火ガラスを押付手段により枠体に押し付けるようにして保持する防火ガラスの支持構造であって、防火ガラスの周辺部とこれと対向する枠体との間に受け保持材を介在させ、押付手段を、防火ガラスと平行な取付片と取付片より防火ガラス方向に突出して先端を押付係合端とした押付係合片とから成る押付ピースとし、その押付ピースの取付片先端が前記押付係合端から防火ガラスの中心側に所定量変位した位置となるように取付片を接着固定した押縁を防火戸に取り付け、取り付け状態において押付ピースの前記取付係合端で防火ガラスを前記受け保持材へ向けて押圧保持し、火災時の高温により前記押付ピースの取付片と押縁との接着固定が解除され、防火ガラスの軟化収縮により防火ガラスに係合している押付係合端が取付片の前記先端を中心として、防火ガラスに対して食い込み勝手となるように円弧移動するように構成したことを特徴とする。この構成では、常態では押付ピースによる押付力でガラス周辺部が受け保持材を介して枠体に圧接保持されるが、火災時には押付ピースの取付片と押縁との接着が解除され、防火ガラスの軟化収縮により防火ガラスに係合している押付係合端が取付片の前記先端を中心として、防火ガラスに対して食い込み勝手となるように円弧移動するので、ガラス軟化時にはガラスの周辺部を押付係合端が積極的に枠方向に押し付け、ガラス周辺部を確実に保持する。
【０００５】
また、本願は、防火ガラスの周辺部を防火戸の枠体と押縁との間に挟み込んで押縁側から防火ガラスを押付手段により枠体に押し付けるようにして保持する防火ガラスの支持構造であって、防火ガラスの四周とこれと対向する枠体との間に気密材を連続するように介在させ、押付手段を、防火ガラスと平行な取付片と取付片より防火ガラス方向に突出して先端を押付係合端とした押付係合片とから成る押付ピースとし、その押付ピースの取付片先端が前記押付係合端から防火ガラスの中心側に所定量変位した位置となるように取付片を接着固定した押縁を防火戸に取り付け、取り付け状態において押付ピースの前記取付係合端で防火ガラスを前記気密材へ向けて押圧保持し、前記押付ピースの取付片と押縁との接着固定は、火災時の高温により解除されるものであって、押付ピースの取付片と押付係合片とは、取付片と押縁との接着固定が火災時の高温により解除された後に、取付片の前記先端を中心として押付係合端が円弧移動するに際し、その押付係合端が、防火ガラスに対して食い込み勝手となるような長さ関係に設定されていることを特徴とする。この支持構造では、受け保持材としての気密材が、ガラスの四周と枠体との間を気密にシールして防火ガラスを支持しているので、ガラス軟化時にガラス周辺部を積極的に保持することの他、この支持構造と別にシーリング材を打ち込むことなく枠体との間をシールできる。
【０００６】
気密材として火災時の高温によって燃えるような材質のものを使用するとき、防火ガラスに対する食い込み方向の最大移動量は、気密材の厚さよりも大きく設定されていると好ましい。これによれば、気密材が焼失してしまっても、気密材が占めていた厚み部分以上、防火ガラスを枠方向に移動させることができ、その結果、防火ガラスの周辺部が枠に直接押し付けられて保持される。
押縁にはその長手方向に係止片を備え、防火戸には押縁の前記係止片と係止して、押縁ごと押付ピースを防火ガラス方向に押し付けるガイド孔を形成してある。
防火戸には、防火ガラスの周辺部と対応して開口枠を設け、その開口枠に、押縁から対応する開口枠方向に突設した鉤状の係止片を案内して、押縁を防火ガラス方向にガイドして係止するガイド孔を形成した。
この構成では、防火戸のガイド孔に押縁の係止片を係止することで、押縁を防火ガラス方向にガイドして押付ピースの押付係合端を防火ガラスに押圧でき、押し縁を防火戸に取り付けるための取付螺子が不要である。
【０００７】
【発明の実施の形態】
図１は本願ガラス支持構造により防火ガラス２０を取り付けた防火戸１の正面図である。防火戸１は上下左右の力骨２ａ，２ｂ、３ａ，３ｂと上下方向の２本の中骨４，５を間に挟んで、表裏に枠板６，７が貼り付けて構成されている。表裏の枠板６，７には中骨４，５の間に矩形の開口部８，９が設けてあり、裏側の枠板７の開口部９は、表側の枠板６の開口部８より一回り小さくなっている。開口部８と対応する中骨４，５部分を左右の縦の開口枠１２，１３とし、表側の枠板６の開口部８の上下に合わせて上下の開口枠１０、１１が裏側の枠板７との間に挟まれて取り付けてあり（図３）、それらの開口枠１０〜１３の内側面で囲まれてガラス取付開口部１５が構成されている。裏側の枠体７の開口部９の四周部は、開口枠１０〜１３の内側面より、夫々所定量、後述する防火ガラスの中央に向けて突出しており、それらの突出部分は防火ガラスが気密材を介して押し付けられる枠体１４〜１６となっている。
上記枠体１４〜１６の内側面（防火ガラス２０方向面）１７には、受け保持材としての気密材１８が開口部９の四周に亘って連続するように設けてある。気密材１８として、ここでは片面糊付き発泡クロロプレンゴムを貼り付けている。この気密材１８の気密面１９に防火ガラス２０の一側面の四周周辺部を当て付け、その状態で押付手段により押縁２４，２４Ａ側から防火ガラス２０を気密材１８に向けて押圧保持している。
【０００８】
この押圧保持構造について、防火ガラス２０の上辺部では図３に示すように、開口部９の上縁とほぼ一致した長さの押付ピース２１は、防火ガラス２０と平行となる取付片２２と取付片２２より防火ガラス２０方向に突出して先端を押付係合端２３ａとした押付係合片２３とから成る断面Ｌ字を成している。押縁２４は、表側枠板６に装着される装着片２５とそれより防火ガラス２０方向に直角に曲げられた前後方向片２６とから成る押付ピース２１と逆のＬ字断面を成し、前後方向片２６の下端面は前記裏側開口部９の上縁と一致する高さ位置にある。押縁２４の直角に屈曲する屈曲点Ｐに前記取付片２２の先端（ここでは下端）が当てられて、取付片２２と装着片２５との間を構造テープ２７で接着固定してある。こうして構造テープ２７で押付ピース２１と一体とした押縁２４は、装着片２５の上部を表側枠板６に螺子２９で固着され、押付ピース２１の押付係合端２３ａを防火ガラス２０の前記気密材１８と反対側面に押し付け、ガラス上辺部を気密材１８を介して枠体１４に押圧保持するようにしてある。防火ガラス２０において、押付係合端２３ａが押し付けられる部分にはガラス表面に傷がつくことを防止するためのテープが接着してある。
【０００９】
防火ガラス２０の下辺部では、けい酸カルシュームからなるガラスクッション３０を介して防火ガラス２０の下端が下側開口枠１１上に載置され、そのように載置された防火ガラス２０の下辺部に対して、上記と同じ（ただし、上下が反対になっている）押付ピース２１と押縁２４によりガラス下辺部を下側の気密材１８を介して下側の枠体１５に押圧保持している。下側の押付ピース２１と下側の開口枠１１との間には、不燃材からなる支持ブロック３１が介在され、火災時に構造テープ２７の粘着力が消失したときに、押付ピース２１が落下しないようにしている。
【００１０】
上下の押縁２４は、螺子２９により表側の枠板に取り付けているが、防火ガラス２０の左右辺部を取り付けるための押縁２４Ａは、螺子を使わないで対応する開口枠１２，１３に取り付けられている。防火ガラス２０の右辺部と左辺部とでは、左右が対象となっているのみで全く同じ構造であるから、右側で説明する。ここでは押縁２４Ａは図４に示すように、装着片２５Ａが前板部分３５とその前板部分３５の右開口枠方向端３５ａをガラス方向に直角に屈曲した屈曲部３６とからなり、前後方向片２６Ａとともにガラス方向を開口した概ねコの字断面となっており、更に前記屈曲部３６の先端（ガラス方向端）には、上下（長手）方向に所定ピッチで、対応する右側の開口枠１３方向に屈曲された複数の鉤状の係止片３８が一体に形成されている。
【００１１】
一方、右側の開口枠１３には、前記係止片３８が係合するガイド孔３９が上下方向に前記係止片３８と同じ所定ピッチで係止片３８と同数設けてある。ガイド孔３９は図５に示すように、係止片３８をガイド孔３９に差込んで上方から落とし込んだときに、前記係止片３８の表側面３８ｂを案内して係止片３８をガラス方向に移動させて縦方向の押付ピース２１Ａの押付係合端２３ａをガラス２０に押し付けるための下窄まりとなったガイド面４０を有している。ガイド孔３９に係止片３８が係合して押付ピース２１Ａでガラス２０を押し付けた状態では、係止片３８下端の引っ掛け部３８ａがガイド孔３９の下縁部に係合し、前板部分３５の右開口枠方向端３５ａが前板６の開口部８の右縁に当接しており（図４）、押縁２４Ａの下端がガラス下辺部を支持する下側の押縁２４の前後方向片２６の上面に載置されて、押縁２４Ａの下、前後、左右位置が定められる。押縁２４Ａの上方向位置は、上側の押縁２４の前後方向片２６の下端で規制される（図２）。この右辺部における押付ピース２１Ａも前後方向片２６Ａの屈曲点Ｐに押付ピース２１Ａの取付片２２が構造テープ２７で接着されていることは言うまでもない。また、その構造テープ２７による接着力がなくなったときに、押付ピース２１Ａが、垂直姿勢から外方に倒れないように、押付係合片２３から開口枠１３方向に、上下２箇所で突出した支持片２３ｂが、組み付け状態で屈曲部３６に接するようにしてある。押付ピース２１Ａの下端は対応する押縁２４Ａの下端同様に、下側の開口枠１１に取り付けた押縁２４の前後方向片２６の上面に載っている。
【００１２】
上下、左右の各辺部における各押付ピース２１，２１Ａの取付片２２と押付係合片２３とは、取付片２２と押縁２４，２４Ａとの接着固定が火災時の熱により解除された後に、取付片２２の先端を中心として押付係合端２３ａが円弧移動するに際し、その押付係合端２３ａが、防火ガラス２０に対して食い込み勝手となるような長さ関係に設定されている。図６にはガラス２０の右辺部で示すが、上下片部、左辺部も同様である。この食い込み角度（ガラス表面と成す角度）は、ガラス表面に対して浅いほうがよく、そのため、押付係合片２３の長さは取付片２２の２．５倍程度に設定してある。また、気密材１８としてここで使用したクロロプレンゴムは、火災時の高温で焼失してしまうので、その押付係合端２３ａの移動量Ｌ１は、クロロプレンゴムの厚みＬよりも大きくなるように設定してある（図４，６）。
【００１３】
防火ガラス２０は、まず、気密材１８を裏側枠材１４，１５，１６の内側面１７に開口部９の四周を取り囲んで連続して貼り付け、そのあと、防火ガラス２０下辺部をガラスクッション３０を介して下側の開口枠１１に支持し、その状態で、押付ピース２１を貼着した下側の押縁２４を螺子２９で取り付けて防火ガラス２０の下辺部を支持する。次いで、押付ピース２１Ａを貼着した左右の押縁２４Ａを、係合部３８とガイド孔３９の係合を介して左右の開口枠１２，１３に取り付ける。そして最後に、押付ピース２１を貼着した上辺部の押縁２４を螺子２９で止めて防火ガラス２０の取り付けが完了する。防火ガラス２０をこのように取り付けると、防火ガラス２０の四周辺部とこれに対向する枠部１４〜１６との間は気密材１８で連続してシールされるので、火災初期に発生する煙がこのガラス支持部分から進入してくることがない。
【００１４】
また、火災時の火炎により防火戸１が高温にさらされると、防火ガラス２０自体が軟化してくる。ガラス２０の軟化に伴い、ガラス２０の周辺部表面も軟化してくるため、押付ピース２１、２１Ａの押付係合端２３ａがガラス表面に食い込んだ状態となる。これと合い前後して気密材１８が熱により徐々に焼失し、また、構造テープ２７の粘着力も失われてくるので、押付ピース２１，２１Ａは対応する押縁２４，２４Ａとの間の接着が解除される。この状態でガラスが軟化によりガラス中央方向へ収縮すると、押付ピース２１，２１Ａは押付係合端２３ａがガラス表面に食い込んだ状態でガラス中央に向けて引っ張られ、これによって取付片２２の先端を中心として押付係合端２３ａが、浅い角度で防火ガラス２０に対して食い込む方向に円弧を描き、防火ガラス２０の周辺部を積極的に気密材１８方向に押圧移動させて、ガラス周辺部の押圧保持状態を維持する。気密材１８が完全に焼失したとしても、前記円弧移動により防火ガラス２０が枠体１４〜１６に直接押し付けられるため（図６）、軟化したガラス２０の周辺部が抜け落ちることはなく、炎を防ぐことができる。
【００１５】
【発明の効果】
以上のように本願では、防火ガラスが火災時の高温で軟化してその中央に向けて収縮する時、押付ピースの取付片と押縁との接着が解除され、防火ガラスの軟化収縮により防火ガラスに係合している押付係合端が取付片の先端を中心として、防火ガラスに対して浅い角度で食い込み勝手となるように円弧移動するようにしたので、ガラス軟化時にガラスの周辺部を押付係合端が積極的に枠方向に押し付け、ガラス周辺部を確実に保持することができる。
また、ガラスの四周を気密材を介して枠に押し付けるようにしてガラス周辺部を支持する構造であるから、その支持構造によりガラス四周と枠との間を気密にシールできてシーリング材で別途シールする必要がない。
【図面の簡単な説明】
【図１】防火戸の正面図である。
【図２】ガラスの右辺部を中心とした拡大正面図である。
【図３】図１のＩＩＩ−ＩＩＩ線断面拡大図である。
【図４】図２のＩＶ−ＩＶ線断面図である。
【図５】図４のＶ−Ｖ線断面図である。
【図６】作用説明図である。
【符号の説明】
１　防火戸
１０〜１３　開口枠
１４・１５・１６　枠体
１８　気密材（受け保持材）
２０　防火ガラス
２１・２１Ａ　押付ピース
２２　取付片
２３　押付係合片
２３ａ　押付係合端
２４・２４Ａ　押縁
３８　係止片
３９　ガイド孔
【図１】
2004068461.tif 000003
【図２】
2004068461.tif 000004
【図３】
2004068461.tif 000005
【図４】
2004068461.tif 000006
【図５】
2004068461.tif 000007
【図６】
2004068461.tif 000008